(57)【特許請求の範囲】
【請求項１】
セメントに、砂と水、或いは、これらに砂利等を加えて撹拌ドラムで撹拌混練されるコンクリート、モルタル等や、芝生、草花等を植生するための緑化用客土に種子等を混入して撹拌ドラム内で撹拌される緑化用基盤材等の被撹拌物を吹付ける吹付機に於いて、撹拌ドラムの胴筒の両端部に連結される略さら形状の左右鏡板に仕切板を装着せしめて、鏡板の開放部分を僅かな間隙空間を残して略閉塞し、鏡板と仕切板とで囲繞される空間部分に適宜充填材を充填して構成したことを特徴とする吹付機に於ける撹拌ドラム。
【請求項２】
充填材を、適宜大きさの粒状材で構成し、多数の粒状材を、鏡板と仕切板とで囲繞される空間部分に充填して構成したことを特徴とする請求項１記載の吹付機に於ける撹拌ドラム。
【発明の詳細な説明】
【０００１】
【発明の属する技術分野】
本発明は、例えば、セメントに、砂と水、或いは、これらに砂利等を加えて撹拌混練されるコンクリート、モルタル等や、芝生、草花等を植生するための緑化用客土に種子等を混入して撹拌される緑化用基盤材等の被撹拌物を、圧縮機からのエアー圧力を利用して適宜法面等に吹付ける吹付機に於いて、撹拌ドラム内で撹拌される被撹拌物が鏡板内表面に付着しないように工夫した吹付機に於ける撹拌ドラムに関する。
【０００２】
【従来の技術】
従来、コンクリート、モルタル等や緑化用基盤材等の被撹拌物を吹付ける吹付機にあっては、撹拌ドラムは、胴筒の両端部に略さら形状の左右鏡板を連結せしめて構成したものが多く提供されている（例えば、実開平１−２１５５０９号）。尚、撹拌ドラムは、その内部に適宜圧力が加えられる圧力容器となるため、その耐圧性と、軽量化とを考慮して左右鏡板が略さら形状となっているものが多くある。
【０００３】
【発明が解決しようとする課題】
そのため、撹拌ドラム内で撹拌される被撹拌物が鏡板内表面に付着されると、被撹拌物が撹拌ドラム内に取残される虞れがあった。また、このまま被撹拌物が硬化すると、これの除去作業がかなり面倒となる難点もあった。
【０００４】
【課題を解決するための手段】
そこで、本発明は、前述の如き難点等を解消すべく創出されたもので、請求項１記載の撹拌ドラムにあっては、セメントに、砂と水、或いは、これらに砂利等を加えて撹拌ドラムＡ内で撹拌混練されるコンクリート、モルタル等や、芝生、草花等を植生するための緑化用客土に種子等を混入して撹拌ドラムＡ内で撹拌される緑化用基盤材等の被撹拌物を吹付ける吹付機Ｓに於いて、撹拌ドラムＡの胴筒１の両端部に連結される略さら形状の左右鏡板２に仕切板１０を装着せしめて、鏡板２の開放部分を僅かな間隙空間を残して略閉塞し、鏡板２と仕切板１０とで囲繞される空間部分に適宜充填材１５を充填して構成する手段を採用した。
【０００５】
また、請求項２記載の撹拌ドラムにあっては、充填材１５を、適宜大きさの粒状材で構成し、多数の粒状材を、鏡板２と仕切板１０とで囲繞される空間部分に充填して構成する手段を採用した。
【０００６】
【発明の実施の形態】
以下、本発明を図示例について説明すると、次の通りである。
図中Ｓは、主に、セメントに、砂と水、或いは、これらに砂利等を加えて撹拌混練されるコンクリート、モルタル等や、芝生、草花等を植生するための緑化用客土に種子等を混入して撹拌される緑化用基盤材等の被撹拌物を、撹拌ドラムＡに内装した撹拌羽根体の回転動作によって撹拌した後、圧縮機からのエアー圧力を利用して適宜法面等に吹付けられるように構成した吹付機を示し、本発明は、この吹付機Ｓの撹拌ドラムＡに係るものである。
【０００７】
そして、本発明の撹拌ドラムＡは、略円筒状の（或いは、少なくとも下半分が断面円弧状である）胴筒１の両端開放部分を閉塞するように連結される略さら形状の左右鏡板２に、仕切板１０を装着せしめる。このとき、仕切板１０は、鏡板２の開放部分を僅かな間隙空間を残して略閉塞するように配される。そして、鏡板２と仕切板１０とで囲繞される空間部分に充填材１５を充填せしめて構成されている。
【０００８】
充填材１５は、水を吸収せず、圧力によって変形せず（体積が変化せず）、比較的比重が小さく、セメント類が付着し難いものであれば良く、例えば、適宜合成樹脂材（例えば、ポリ系、プラスチック系、発泡スチロール系の合成樹脂材等）や、ゴム材や、シリコンや、防水処理等が施された木材や、これらを適宜組合せた合成材等によって構成される。そして、これらの材料によって、適宜大きさ（例えば、鏡板２の開放部分と、仕切板１０との間の僅かな間隙空間を通過しない程度の大きさ）の粒状材を多数形成し、これを鏡板２と仕切板１０とで囲繞される空間部分に充填するように構成してある。
【０００９】
図中３は、鏡板２の中央部に配置されるシール部で、このシール部３によって、撹拌羽根体が固定される回転軸４と鏡板２との間の気密性、水密性が維持できるように形成されている。
【００１０】
仕切板１０は、その中央にシール部３が収まるような円孔が穿設されている略円盤状を呈し、ボルト取付孔１１に挿通される取付ボルト１３を介して鏡板２に取外し可能に装着されるものである。尚、この仕切板１０の外周縁部分と鏡板２内表面との間、及び仕切板１０の内周縁部分とシール部３外表面との間には、適宜間隙空間が設けられており、被撹拌物を搬送すべく撹拌ドラムＡ内が加圧されたときに、仕切板１０には、その表裏から均一に圧力がかかるように構成してある。また、図中１２は、ボルト取付孔１１に取外し可能に嵌入されるゴムキャップで、このゴムキャップ１２によって被撹拌物がボルト取付孔１１内に侵入しないように構成してある。
【００１１】
尚、撹拌ドラムＡの具体的構成、鏡板２の具体的構成、形状、寸法、仕切板１０の具体的構成、形状、寸法、鏡板２への具体的装着手段、ボルト取付孔１１の具体的構成、形状、寸法、数、配設位置、充填材１５の具体的構成、形状、寸法、材質、数、具体的充填状態、仕切板１０と鏡板との間の適宜間隙空間の具体的構成、形状、寸法、数、配設状態等は図示例のもの等に限定されることなく適宜自由に設定できるものである。
【００１２】
【発明の効果】
従って、請求項１記載の撹拌ドラムにあっては、セメントに、砂と水、或いは、これらに砂利等を加えて撹拌ドラムＡ内で撹拌混練されるコンクリート、モルタル等や、芝生、草花等を植生するための緑化用客土に種子等を混入して撹拌ドラムＡ内で撹拌される緑化用基盤材等の被撹拌物を吹付ける吹付機Ｓに於いて、撹拌ドラムＡの胴筒１の両端部に連結される略さら形状の左右鏡板２に仕切板１０を装着せしめて、鏡板２の開放部分を僅かな間隙空間を残して略閉塞し、鏡板２と仕切板１０とで囲繞される空間部分に適宜充填材１５を充填して構成したので、撹拌ドラムＡ内で撹拌される被撹拌物が鏡板２内表面に付着することがなくなり、被撹拌物が撹拌ドラムＡ内に取残されることがなくなると共に、撹拌ドラムＡ内の清掃作業やメンテナンス等が簡単に行えるようになり、非常に取扱い易いものとなる。更に、仕切板１０の装着や充填材１５の充填が簡単に行えるようになり、既存の吹付機Ｓへの付設も簡単に行え、しかも、軽量で、構成が簡素で、耐久性に優れ、低コストで、経済的にも優れたものとなる。
【００１３】
特に、鏡板２の開放部分を僅かな間隙空間を残して仕切板１０で略閉塞したので、被撹拌物を搬送すべく撹拌ドラムＡ内が加圧されたときに、間隙空間によって仕切板１０に偏った無理な圧力がかかることがなくなり、仕切板１０を薄く構成できるようになる。ひいては、撹拌ドラムＡの軽量化に役立つようになる。
【００１４】
また、請求項２記載の撹拌ドラムにあっては、充填材１５を、適宜大きさの粒状材で構成し、多数の粒状材を、鏡板２と仕切板１０とで囲繞される空間部分に充填して構成したので、充填材１５の補充交換が簡単に行えるようになり、より取扱い易いものとなる。しかも、鏡板２と仕切板１０とで囲繞される空間部分に充填される充填材１５全体の重量を軽くすることができるようになる。
【図面の簡単な説明】
【図１】  本発明の撹拌ドラムを例示する部分断面図である。
【図２】  本発明の撹拌ドラムを有する吹付機を例示する一部切欠正面図である。
【符号の説明】
Ｓ      吹付機
Ａ      撹拌ドラム
１      胴筒                          ２      鏡板
３      シール部                      ４      回転軸
１０    仕切板                        １１    ボルト取付孔
１２    ゴムキャップ                  １３    取付ボルト
１５    充填材
【図１】
0003997442.tif 000002
【図２】
0003997442.tif 000003